(57)【要約】      （修正有）【課題】肘関節や肩関節が曲がり難い身体障害者や高齢者等が簡単に着用することができるようにする。【解決手段】襟３を備えた前開きコートであって、袖１及び前身頃２が襟３を避けるように袖１から前身頃２の胸元部２ａにかけて分割されており、この分割部分１０を相互に係合離脱可能なように着脱手段１１が設けられている。【選択図】図１
0003119169.tif 000002
【実用新案登録請求の範囲】
【請求項１】
襟を備えた前開きコートであって、袖（１）及び前身頃（２）が前記襟（３）を避けるように前記袖（１）から前記前身頃（２）の胸元部（２ａ）にかけて分割されており、この分割部分（１０）を相互に係合離脱可能なように着脱手段（１１）が設けられていることを特徴とする身体障害者等が着用しやすいコート。
【請求項２】
前記着脱手段（１１）がスライドファスナーであって、このスライドファスナーは前記袖（１）から前記前身頃の胸元部（２ａ）へスライドして閉じて前記前身頃の胸元部（２ａ）から前記袖（１）へスライドして開くように設けられていることを特徴とする請求項１に記載のコート。
【請求項３】
前記前身頃（２）の腹部（２ｂ）を開閉できるように、前記前身頃（２）に、上下方向（Ｈ）に所定の間隔を置いて横方向（Ｗ）に分割部分（２０，３０）が設けられていることを特徴とする請求項１又は２に記載のコート。
【考案の詳細な説明】
【技術分野】
【０００１】
本考案は、肘関節や肩関節が曲がり難い身体障害者や高齢者等が簡単に着用できるコートに関する。
【背景技術】
【０００２】
従来より、障害者や高齢者が外出する際に着用するコートは色々ある（例えば特許文献１）。しかし、これらコートは肘関節や肩関節が曲がり難くなった身体障害者等の着用について何ら考慮されておらず、障害者を介護する者は、障害者の腕をコートの袖に通すのに非常に苦労をしていた。また、肘関節や肩関節が曲がり難い障害者用の衣服として、袖から肩部にかけて分割され開閉できるものもあるが、肩部が分割されるので襟を備えることができず冬季の外出の際には首元が寒くなる。
【特許文献１】特開平１１−２５６４０８号公報
【考案の開示】
【考案が解決しようとする課題】
【０００３】
そこで、本考案が解決しようとする課題は、前記した問題点を解決するため、襟を備えて肘関節や肩関節が曲がり難くい身体障害者等でも簡単に着用できるよう工夫されたコートを提供することである。
【課題を解決するための手段】
【０００４】
本考案に係るコートは、前記した課題を解決するために、襟を備えた前開きコートであって、袖及び前身頃が襟を避けるように袖から前身頃の胸元部にかけて分割されており、この分割部分を相互に係合離脱可能なように着脱手段が設けられている。
【０００５】
好ましくは、着脱手段がスライドファスナーであって、このスライドファスナーは袖から前身頃の胸元部へスライドして閉じて前身頃の胸元部から袖へスライドして開くように設けられている。
【０００６】
さらに好ましくは、前身頃の腹部を開閉できるように、前身頃に、上下方向に所定の間隔を置いて横方向に分割部分を設けている。
【考案の効果】
【０００７】
本考案は、前記のように襟を備えたコートにおいて、この襟を避けるように袖から前身頃の胸元部へ向けて分割されており、この分割部分を相互に係合離脱する着脱手段が備えられている。従って、袖を平面状に開いた状態で障害者の腕をのせ、その後分割部分を閉じることにより、障害者の肘関節や肩関節を曲げることなくコートの袖を通すことができる。更に襟を備えているので冬季の外出時でも首元が寒くならない。
【考案を実施するための最良の形態】
【０００８】
以下、添付図面に基づいて本考案の一実施例について詳細に説明する。
【０００９】
図１は、第一分割部分を開いた状態のコートを示す平面図である。図２は、分割部分を閉じた状態のコートを示す平面図である。図３は、前身頃の腹部を開いた状態のコートを示す平面図である。図４は、本考案のコートを着た障害者が車椅子に乗った状態を示す斜視図である。
【００１０】
図１の如く、本考案に係るコートは前開きの襟３を備えたコートであって、右袖１及び左袖１’、右前身頃２及び左前身頃２’、後身頃４からなる。右袖１及び右前身頃２は、右袖１の長手方向に沿って右前身頃２の胸元部２ａへかけて分割されており、右側の第一分割部分１０を形成している。この右側の第一分割部分１０によって、右袖１及び右前身頃２を分割して平面状に開くことができる。この分割部分１０を相互に係合離脱するために第一分割部分１０に沿って第一着脱手段１１が設けられている。本実施例では、第一着脱手段１１はスライドファスナーである。この右側の第一着脱手段１１によって、右袖１及び右前身頃２の分割部分１０が開閉できるようになっている。
【００１１】
左袖１’及び左前身頃１’も同様に構成されており、左袖１’から左前身頃２’の胸元部２ａ’にかけて左側の第一分割部分１０’を備えており、この第一分割部分１０’に沿って第一着脱手段１１’が設けられている。これら第一分割部分１０，１０’は襟３を避けるように設けられている。このコートは襟３を備えることにより、外出時でも着用者の首元は寒くならない。
【００１２】
そして、障害者等の着用者がこのコートを着用する際には、左右両側の第一着脱手段１１，１１’を操作して、先ず図１の如く、左右両側の第一分割部分１０，１０’を離して両袖１，１’を平面状に開き、この上１，１’に着用者の腕をのせる。従って、着用者は腕を曲げる必要がない。その後、図２の如く、左右両側の第一分割部分１０，１０’を着けて左右袖１，１’を円筒状に閉じて、着用者の腕を左右袖１，１’に通す。
【００１３】
これにより、着用者は肘関節や肩関節を曲げることなく袖を通すことができる。従って、腕が曲がり難くなった障害者や高齢者でも簡単にコートを着用でき、また介護者も労力が少なくなる。
【００１４】
本実施例では、左右両側の第一着脱手段１１，１１’はスライドファスナーであって、このスライドファスナーは袖１，１’から前身頃２，２’の胸元部２ａ，２ａ’へスライドして閉じ、前身頃２，２’の胸元部２ａ，２ａ’から袖１，１’へスライドして開くようになっている。これにより、着用者及び介護者が、より簡単に袖１，１’及び前身頃２，２’を開閉できるようになっている。
【００１５】
図１乃至図３の如く、右前身頃２はさらに横方向Ｗに２つ分割され、上下方向Ｈに所定の間隔を置いて右側第二分割部分２０及び第三分割部分３０を備えている。そして、第二分割部分２０には第二着脱手段２１が、第三分割部分３０には第三着脱手段３１が設けられている。本実施例では、各着脱手段２１，３１はスライドファスナーであって、このスライドファスナーはコートの外側へスライドすることによって離れ、コートの内側へスライドすることによって係合するようになっている。左前身頃２’も同様に構成されており、左側第二及び第三分割部分２０’，３０’を備え、この分割部分２０’，３０’にそれぞれ第二及び第三着脱手段２１’，３１’が設けられている。
【００１６】
そして、図３の如く、右側の第二及び第三着脱手段２１，３１によって、第二及び第三分割部分２０，３０を分割することにより、右前身頃２の右腹部２ｂを開くことができる。同様に、左前身頃２’の左腹部２ｂも開くことができる。これにより、着用者はコートの前開きを閉じた状態で、腹部２ｂ，２ｂ’だけを開くことができ、寒さを最小限に抑えることができる。
【００１７】
また、第二着脱手段２１で第二分割部分２０のみを分割することにより、右前身頃２の胸元部だけを開くこともできる。そして、第三着脱手段３１で第三分割部分３０のみを分割することにより、右前身頃２の膝元部だけを開くこともできる。左前身頃２’についても同様である。これにより、着用者は必要な時に必要な部分だけを開くことができる。
【００１８】
更に、図１及び図２の如く、コートは、後身頃４に、車椅子に固定するための取付手段５が設けられている。本例では、取付手段５は紐状体や面ファスナーを有する連結ベルト等からなっており、図４の如く、車椅子５０のフレーム等に結んで車椅子からコートがずれないようになっている。
【００１９】
なお、コートの前開き部分に、ボタンやホックなどを設けて閉じるようにすることもできる。そして、本考案は、生地の素材を変更することにより、防寒用コートだけでなくパジャマ、シャツ、ブルゾン、ジャケット等の様々な衣服に採用できることは言うまでもない。又、各着脱手段１０，２０，３０は面ファスナーやスナップボタン等でもよい。使用者の目が不自由な場合には、袖元部分を逢着することにより、第一分割部分を簡単に係合離脱することができる。
【図面の簡単な説明】
【００２０】
【図１】第一分割部分を開いた状態のコートを示す平面図。
【図２】分割部分を閉じた状態のコートを示す平面図。
【図３】前身頃の腹部を開いた状態のコートを示す平面図。
【図４】コートを着た障害者が車椅子に乗った状態を示す斜視図。
【符号の説明】
【００２１】
１  袖
２  前身頃
３  襟
５  取付手段
２ａ  前身頃の胸元部
１０，２０，３０  分割部分
１１，２１，３１  着脱手段
Ｈ  上下方向
Ｗ  横方向
５０  車椅子
【図１】
0003119169.tif 000003
【図２】
0003119169.tif 000004
【図３】
0003119169.tif 000005
【図４】
0003119169.tif 000006